(57)【要約】【課題】ホワイトバランス制御の成功率を最小のユーザ操作で確実に向上させる。【解決手段】撮像素子が撮像した被写体の画像の照明色を制御するためのホワイトバランス制御量を自動決定する演算手段（１４）と、前記自動決定されたホワイトバランス制御量によって制御され得る照明種別の情報（「晴天」「曇天」「蛍光灯」など）を外部に対し表示する表示手段（１０、１４、１３）とを撮像装置に備える。この撮像装置において、前記自動決定されたホワイトバランス制御量を補正するための情報をユーザに入力させるユーザインタフェース（１５）を備えれば、演算手段は、その入力された情報に応じて前記ホワイトバランス制御量を補正することができる。これが実現すれば、ホワイトバランス制御の成功率を最小のユーザ操作で確実に向上させることができる。【選択図】      図２
2005072694.tif 000002
【特許請求の範囲】
【請求項１】
撮像素子が撮像する被写体の画像の照明色を制御するためのホワイトバランス制御量を自動設定する演算手段と、
前記自動設定されたホワイトバランス制御量によって制御され得る照明種別の情報を外部に対し表示する表示手段とを備えた
ことを特徴とする撮像装置。
【請求項２】
請求項１に記載の撮像装置において、
前記自動設定されたホワイトバランス制御量を補正するための情報をユーザに入力させるユーザインタフェースをさらに備えた
ことを特徴とする撮像装置。
【請求項３】
請求項２に記載の撮像装置において、
前記ユーザインタフェースは、
前記補正するための情報として、前記被写体の照明種別の情報をユーザに入力させる
ことを特徴とする撮像装置。
【請求項４】
請求項２又は請求項３に記載の撮像装置において、
前記演算手段は、
前記入力された情報に応じて前記ホワイトバランス制御量を補正する
ことを特徴とする撮像装置。
【請求項５】
請求項２〜請求項４の何れか一項に記載の撮像装置において、
前記演算手段は、
前記入力された情報に応じて前記自動設定の成功率が向上する方向にその自動設定の演算内容を更新する
ことを特徴とする撮像装置。
【発明の詳細な説明】
【０００１】
【発明の属する技術分野】
本発明は、電子カメラなどの撮像装置に関する。
【０００２】
【従来の技術】
多くの電子カメラには、照明による被写体の色づきを抑えるためのホワイトバランス制御の機能が搭載されている。
最適なホワイトバランス制御の制御量（画像の色信号に乗算すべきゲイン）は被写体を照明している光の色（照明色）によって異なるので、その照明色は正確に検知されなければならない。
【０００３】
このため、最近の電子カメラには、撮影した画像から被写体の照明色を推定する機能が搭載されている（特許文献１、特許文献２など）。
【特許文献１】
特開平８−３２２０６１号公報
【特許文献２】
特開平１１−２０５８１２号公報
【０００４】
【発明が解決しようとする課題】
しかしながら、その推定は、失敗することがある。例えば、日陰の緑色の芝生は、蛍光灯で照明された灰色の物体と似た色で表現されるので、その実際の照明色（ここでは自然光）は白に近いにも拘わらず緑がかっていると推定してしまうことがある。
【０００５】
このため、互いに異なる複数の推定方法を組み合わせることで失敗の可能性を低減することも提案されている。
しかし、照明色及び物体色の各々が多様である限り、或る照明で照明された或る色の物体と、別の照明で照明された別の色の物体とが似た色で表現される可能性は無くならないので、その低減には限界がある。
【０００６】
つまり、画像からの推定では、ホワイトバランス制御の成功率を確実に向上させることは原理的に難しい。
そこで本発明は、ホワイトバランス制御の成功率を最小のユーザ操作で確実に向上させるのに適した撮像装置を提供することを目的とする。
【０００７】
【課題を解決するための手段】
請求項１に記載の撮像装置は、撮像素子が撮像する被写体の画像の照明色を制御するためのホワイトバランス制御量を自動設定する演算手段と、前記自動設定されたホワイトバランス制御量によって制御され得る照明種別の情報を外部に対し表示する表示手段とを備えたことを特徴とする。
【０００８】
請求項２に記載の撮像装置は、請求項１に記載の撮像装置において、前記自動設定されたホワイトバランス制御量を補正するための情報をユーザに入力させるユーザインタフェースをさらに備えたことを特徴とする。
請求項３に記載の撮像装置は、請求項２に記載の撮像装置において、前記ユーザインタフェースは、前記補正するための情報として、前記被写体の照明種別の情報をユーザに入力させることを特徴とする。
【０００９】
請求項４に記載の撮像装置は、請求項２又は請求項３に記載の撮像装置において、前記演算手段は、前記入力された情報に応じて前記ホワイトバランス制御量を補正することを特徴とする。
請求項５に記載の撮像装置は、請求項２〜請求項４の何れか一項に記載の撮像装置において、前記演算手段は、前記入力された情報に応じて前記自動設定の成功率が向上する方向にその自動設定の演算内容を更新することを特徴とする。
【００１０】
【発明の実施の形態】
図を参照して本発明の実施形態について説明する。
本実施形態は電子カメラの実施形態である。なお、本発明は、ファインダ光学系を覗きながら撮影する一眼レフレックス電子カメラと、モニタ上のスルー画像（リアルタイムで表示される画像）を見ながら撮影できるコンパクト電子カメラとの何れにも適用可能であるが、ここでは、後者について説明する。
【００１１】
図１は、本実施形態の電子カメラの外観図である。図１（ａ）は電子カメラを正面から見た図、図１（ｂ）は電子カメラを背面から見た図である。
図２は、本実施形態の電子カメラの概略構成を示す図である。
電子カメラには、ＣＰＵ（演算手段、表示手段に対応。）１０、レリーズ釦１１、撮像素子１２、モニタなどの表示装置（表示手段に対応。）１３、画像処理装置（演算手段に対応。）１４、設定ダイヤル（ユーザインタフェースに対応。）１５などが備えられる。レリーズ釦１１や設定ダイヤル１５の操作に応じて、ＣＰＵ１０は撮像素子１２、表示装置１３、画像処理装置１４などの各部を制御する。
【００１２】
なお、設定ダイヤル１５は、例えば図１（ａ）に示すように、ユーザがレリーズ釦１１と同時操作可能な場所に設けられている。
以上の構成の電子カメラが撮影モードにあるときには、撮像素子１２は粗く連続的に撮像を行い、その撮像素子１２から順次出力される画像（スルー画像表示用の画像）Ｉｔは、画像処理装置１４を介して表示装置１３に順次送出され、スルー画像としてリアルタイムで表示される。
【００１３】
一方、レリーズ釦１１が全押しされたときには、撮像素子１２は詳細な撮像を行い、その撮像素子１２から出力される画像（スチル画像）Ｉは、画像処理装置１４にて各画像処理が施された後、不図示の記録装置に記録される。
なお、画像処理装置１４における画像処理には、ホワイトバランス制御、画素補間処理、階調変換処理などが含まれる。
【００１４】
このうちホワイトバランス制御は、画像処理装置１４内のホワイトバランス制御回路（演算手段に対応。）１７によって実行される。
以下、図３、図４に基づいてホワイトバランス制御回路１７の動作を説明する。
図３は、ホワイトバランス制御回路１７（及びＣＰＵ１０）の動作フローチャートである。
【００１５】
図４は、ホワイトバランス制御回路１７における各処理の概念図である。
撮影モード中、レリーズ釦１１が半押しされると（図３ステップＳ１）、撮像素子１２から出力される１フレーム分の画像（スルー画像表示用の画像）Ｉｔが参照される（図３ステップＳ２）。
続く図３ステップＳ３において、画像（スルー画像表示用の画像）Ｉｔに基づき、その後に取得される画像（スチル画像）Ｉに施すべきホワイトバランス制御の制御量Ｇが決定される。
【００１６】
このステップＳ３では、肌色検出による照明色判定（図４処理１７ａ）、平均色による照明色判定（図４処理１７ｂ）、照明種別の判定（図４処理１７ｃ）が組み合わされる。
以下、各判定について順に説明する。
肌色検出による照明色判定（図４処理１７ａ）では、先ず、図５（ａ）に示すように画像（スルー画像表示用の画像）Ｉｔの各小領域ｉ（ｉ＝１，２，３，・・・）から色の評価値Ｃｉ（ｉ＝１，２，３，・・・）がそれぞれ求められる。
【００１７】
求められた各小領域ｉの評価値Ｃｉ（ｉ＝１，２，３，・・・）は、それぞれ予め想定された複数色Ｃｎ１，Ｃｎ２，Ｃｎ３，・・・，Ｃｂ１，Ｃｂ２，Ｃｂ３，・・・，Ｃｆ１，Ｃｆ２，Ｃｆ３，・・・の何れかに属するか否か、さらにどの色に属するかが判断される。何れかに属すると判断されたときには、該当色（属する色）の頻度（小領域数）が１だけ加算される。
【００１８】
ここで、予め想定された複数色Ｃｎ１，Ｃｎ２，Ｃｎ３，・・・，Ｃｂ１，Ｃｂ２，Ｃｂ３，・・・，Ｃｆ１，Ｃｆ２，Ｃｆ３，・・・は、予め想定された各照明下で肌色物体が示す各色である。
例えば、色Ｃｎ１，Ｃｎ２，Ｃｎ３，・・・は、互いに異なる色温度の自然光で照明された肌色物体が示す各色である。
【００１９】
また、Ｃｂ１，Ｃｂ２，Ｃｂ３，・・・は、互いに異なる色温度の白熱灯で照明された肌色物体が示す各色である。
また、Ｃｆ１，Ｃｆ２，Ｃｆ３，・・・は、互いに異なる色温度の蛍光灯で照明された肌色物体が示す各色である。
そして、各色Ｃｎ１，Ｃｎ２，Ｃｎ３，・・・，Ｃｂ１，Ｃｂ２，Ｃｂ３，・・・，Ｃｆ１，Ｃｆ２，Ｃｆ３，・・・の頻度（小領域数）から、図５（ｂ）に示すとおりヒストグラムが作成される。
【００２０】
このようなヒストグラムにおいて最大頻度を示す色（図５ではＣｎ２）に属する小領域の集合（図５（ｃ）の斜線部）が、肌色の物体の存在する領域（肌色領域）とみなされる。
その肌色領域とみなされた領域の平均色から、被写体の照明色が判定される。以下、このように判定された照明色をＣＡとおく（以上、肌色検出による照明色判定）。
【００２１】
次に、平均色による照明色判定（図４処理１７ｂ）では、画像（スルー画像表示用の画像）Ｉｔの全体の平均色が求められ、その平均色から、被写体の照明色が判定される。以下、このように判定された照明色をＣＢとおく（以上、平均色による照明色判定）。
次に、照明種別の判定（図４処理１７ｃ）では、肌色検出による照明色判定（図４処理１７ａ）と同様、画像（スルー画像表示用の画像）Ｉｔの各小領域ｉ（ｉ＝１，２，３，・・・）から色の評価値Ｃｉ（ｉ＝１，２，３，・・・）がそれぞれ求められる。
【００２２】
求められた各小領域ｉの評価値Ｃｉ（ｉ＝１，２，３，・・・）は、それぞれ各色Ｃ０１，・・・Ｃ０ｎのどれに属するかが判断される。また、その判断に際し、該当色の頻度（小領域数）が１だけ加算される。
そして、各色Ｃ０１，・・・，Ｃ０ｎの頻度（小領域数）から、図６に示すとおりヒストグラムが作成される。
【００２３】
ここで、各色Ｃ０１，・・・，Ｃ０ｎは、図７に示すように色度座標上に分布する各種の照明種別Ｅ１，Ｅ２，Ｅ３，Ｅ４，Ｅ６，Ｅ７の何れかに属する。
照明種別Ｅ１は夕焼けの色が属する色度領域、照明種別Ｅ２は晴天の色が属する色度領域（以下、「晴天色」という。）、照明種別Ｅ３は曇天の色が属する色度領域、照明種別Ｅ４は日陰の色が属する色度領域、照明種別Ｅ５は白熱灯の色が属する色度領域、照明種別Ｅ６は蛍光灯の色が属する色度領域（以下、「蛍光灯色」という。）、照明種別Ｅ７は蛍光灯以外の人工照明の色が属する色度領域である。
【００２４】
また、このヒストグラム作成時には、各色Ｃ０１，・・・，Ｃ０ｎの頻度に対し、不図示のＲＡＭに予め格納された重み係数（図４符号１７ｃ’）により重み付けがなされる。重み係数は、図８（後述）や図９（後述）に示すように、色Ｃ０１，・・・Ｃ０ｎのそれぞれに対し与えられている。
各色Ｃ０１，・・・Ｃ０ｎの各重み係数は、初期値は全て「１」であるが（後述する図８（ａ）参照）、逐次、図８（ｂ），図９（ｂ’），図９（ｂ”）のように更新される（詳細は後述）。
【００２５】
続いて、作成されたヒストグラム（図６参照）から、比較的高い頻度を示す色の属する照明種別（図６では晴天色Ｅ２）が求められ、この照明種別（図６では晴天色Ｅ２）が、被写体の照明色の属する照明種別と判定される。
以下、このように判定された照明種別をＥとおく（以上、照明種別判定１７ｃ）。
【００２６】
因みに、上述した肌色検出による照明色判定（図４処理１７ａ）で判定された照明色ＣＡ、平均色による照明色判定（図４処理１７ｂ）で判定された照明色ＣＢ、照明種別判定で判定された照明種別Ｅは、図７において×印、斜線で示すとおりである。
図７に示すように、一方の照明色（ここでは照明色ＣＡ）が照明種別Ｅ（ここでは晴天色Ｅ２）に属しており、他方の照明色（ここでは照明色ＣＢ）が照明種別Ｅ（ここでは晴天色Ｅ２）に属していないときには、属している方の照明色（ここでは照明色ＣＡ）のみが信頼され、その照明色（ここでは照明色ＣＡ）に対し最適な値にホワイトバランス制御の制御量Ｇが自動設定される。
【００２７】
また、両方の照明色ＣＡ，ＣＢが照明種別Ｅ（ここでは晴天色Ｅ２）に属しているときには、照明色ＣＡ，ＣＢの双方が信頼され、それらの照明色ＣＡ，ＣＢの双方に対し最適な値（例えば両者の中間色に対し最適な値）にホワイトバランス制御の制御量Ｇが自動設定される（以上、図３ステップＳ３）。
続く図３ステップＳ４では、ステップＳ３にて判定された照明種別Ｅ（ここでは晴天色Ｅ２）を示す情報（「晴天」などの文字）が、表示装置１３に対し例えば図１（ｂ）中に符号１３Ａで示したごとく表示される（図４処理１７ｄ）。
【００２８】
なお、この状態（レリーズ釦が半押しされている状態）では、表示装置１３上にスルー画像が表示されているので、その情報は、表示装置１３の全画面の一部の領域に重畳して表示されることが望ましい。
その後、ユーザがレリーズ釦１１を全押しすると（図３ステップＳ５ＹＥＳ）、撮像素子１２により画像（スチル画像）Ｉが撮像されるので、ステップＳ７ではホワイトバランス制御をするべく画像（スチル画像）Ｉに対し制御量Ｇが乗算される（図４処理１７ｅ）。
【００２９】
さらに、画像（スチル画像）Ｉには、ホワイトバランス制御と共にその他の画像処理も施され、その後、不図示の記録装置に記録される（ステップＳ１１）。また、レリーズ釦１１が全押しされることなく（図３ステップＳ５ＮＯ）、設定ダイヤル１５（図１参照）が操作されると（図３ステップＳ８ＹＥＳ）、表示装置１３上の表示内容が「晴天」から別の照明種別を示す内容、例えば「曇天」などに変更される。
【００３０】
また、その操作が連続的に行われると、表示内容は、「晴天」→「曇天」→「日陰」→「白熱灯」→「蛍光灯」→「その他人工照明」→「晴天」などと、サイクリックに変化する。
ユーザによるその操作が終了すると、図３ステップＳ９の処理が実行される。
なお、ここでは代表して、その操作によって表示内容が「蛍光灯」と変更された場合のステップＳ９について説明する。
【００３１】
ステップＳ９では、その表示内容に対応する照明種別（ここでは蛍光灯色Ｅ６）が、ユーザの入力した照明種別Ｅ’とみなされる。
因みに、ユーザの入力した照明種別Ｅ’（ここでは蛍光灯色Ｅ６）を図７上で可視化すると、ドットで示すとおりである。
ユーザの入力した照明種別Ｅ’（図７のドット部）は、照明種別判定で判定された照明種別Ｅ（図７の斜線部）よりも優先される。
【００３２】
つまり、肌色検出による照明色判定（図４処理１７ａ）で判定された照明色ＣＡ、平均色による照明色判定（図４処理１７ｂ）で判定された照明色ＣＢのうち、照明種別Ｅ’（ここでは蛍光灯色Ｅ６）に属する方の照明色（ここでは照明色ＣＢ）が信頼され、その照明色（ここでは照明色ＣＢ）に対し最適な値に制御量Ｇが補正される。
【００３３】
なお、仮に、ユーザの入力した照明種別Ｅ’（ここでは蛍光灯色Ｅ６）に照明色ＣＡ，ＣＢの双方が属さなかったときには、照明種別の判定（図４処理１７ｃ）にて作成されたヒストグラム（図６参照）から、照明種別Ｅ’（ここでは蛍光灯色Ｅ６）に属する各色のうち最大頻度を示す色が求められ、その色の照明色に対し最適な値に制御量Ｇが補正される。
【００３４】
また、このステップＳ９では、不図示のＲＡＭに格納された重み係数（図４符号１７ｃ’，図８（ａ））は、ユーザの入力した照明種別Ｅ’（ここでは蛍光灯色Ｅ６）に応じて次のとおり更新される。
すなわち、図８（ａ）→図８（ｂ）のように、照明種別Ｅ’（ここでは蛍光灯色Ｅ６）に属する各色に与えられた各重み係数が、照明種別Ｅ（ここでは晴天色Ｅ２）に属する各色に与えられた各重み係数と比較して相対的に拡大される（以上、ステップＳ９）。
【００３５】
そして、ステップＳ９の実行後、レリーズ釦１１が全押しされると（図３ステップＳ５ＹＥＳ）、ステップＳ７が実行される。
このときのステップＳ７におけるホワイトバランス制御には、そのステップＳ９にて補正された制御量Ｇが用いられる。
また、レリーズ釦１１の半押しが解除されると（図３ステップＳ１０ＹＥＳ）、ステップＳ１，Ｓ２，Ｓ３が順に実行される。このときのステップＳ３における制御量Ｇの決定には、上述したステップＳ９にて更新された重み係数（図８（ｂ））が用いられる。
【００３６】
また、この重み係数（図８（ｂ））は、ステップＳ９が実行される毎に、ユーザの入力した照明種別Ｅ’（ここでは蛍光灯色Ｅ６）が優先される方向に、更新される。
例えば、ユーザの入力した照明種別Ｅ’が前回と同じ蛍光灯色Ｅ６であったとすると、それに対応する重み係数は、図８（ｃ）に示すようにさらに拡大される。
【００３７】
以上説明した電子カメラのユーザは、その電子カメラが撮影モードにあるときにレリーズ釦１１を半押しするだけで、制御量Ｇを電子カメラに自動設定させると共に、自動設定された制御量Ｇが制御しうる照明種別の情報を、表示装置１３上で確認することができる。
しかもその情報は、制御量Ｇの値の情報ではなく、その制御量Ｇが制御しうる照明種別（「晴天」、「曇天」など）なので、ユーザは、その照明種別と、被写体を実際に照明している照明種別とが同じであるか否かを判断するだけで、自動設定された制御量Ｇが正しいか否か判断できる。
【００３８】
また、仮に、正しいと判断したならば、ユーザは引き続きレリーズ釦１１を全押しするだけで、被写体の画像Ｉを記録し、しかもその画像Ｉに対し最適なホワイトバランス制御を施すことができる。
一方、正しくないと判断したならば、ユーザは設定ダイヤル１５を操作するだけで、制御量Ｇを正しい方向（ここでは晴天色→蛍光灯色の方向）に補正することができる。
【００３９】
また、ホワイトバランス制御回路１７は、その操作に応じて、制御量Ｇの自動設定に用いるべき重み係数を、ユーザの入力した照明種別Ｅ’（ここでは蛍光灯色Ｅ６）が優先される方向に、逐次更新する。
よって、ユーザが撮影環境を大きく変化させない限り、制御量Ｇの自動設定の成功率は、徐々に高まる。
【００４０】
また、このように成功率が徐々に高まれば、撮影環境を大きく変化させずに撮影を繰り返すときには、ユーザが設定ダイヤル１５を操作する必要性は徐々に少なくなる。
したがって、最小のユーザ操作で確実に自動設定の成功率が高まる。
以上説明した本実施形態の電子カメラは、各種に変形可能である。
【００４１】
上述したステップＳ９では、照明種別Ｅ’に対応する重み係数が拡大されたが（図８（ａ）→図８（ｂ）→図８（ｃ））、図９（ｂ’）のように照明種別Ｅに対応する重み係数が縮小されたり、図９（ｂ”）のように照明種別Ｅ’に対応する重み係数が拡大されると共に照明種別Ｅに対応する重み係数が縮小されても、同様の効果が得られる。
【００４２】
因みに、１回当たりの拡大又は縮小の程度を大きくすれば、自動設定の成功率向上の応答速度を高めることができる。
また、本実施形態のホワイトバランス制御回路１７は、自動設定の成功率を高めるために、照明種別の判定に用いられるパラメータ（重み係数）を更新しているが、自動設定の成功率が高まるのであれば、更新の対象は他のパラメータでもよい。
【００４３】
また、本実施形態のホワイトバランス制御回路１７は、ユーザにより入力された照明種別Ｅ’に応じてパラメータ（重み係数）を逐次更新したが、ユーザによる制御量Ｇの補正回数や、その補正の程度（照明種別Ｅと照明種別Ｅ’との乖離程度）などを数値化したテーブルを作成し、そのテーブルに基づいてパラメータ（重み係数）を逐次生成してもよい。
【００４４】
また、このようなテーブルに蓄積される履歴（補正の履歴）を利用して、パラメータ（重み係数）を統計的に最適とみなされる値に決定してもよい。
また、本実施形態の電子カメラでは、照明種別の表示が、レリーズ釦１１の半押し操作に応じて行われるが、専用の釦（例えば、図１（ｂ）に符号１５’で示す釦）の操作に応じて表示されるよう構成されていてもよい。
【００４５】
また、本実施形態の電子カメラでは、照明種別の表示箇所が、スルー画像の表示箇所と同じ（表示装置１３）とされたが、電子カメラの設定内容の表示箇所と同じ（図１では不図示。電子カメラの上部などに配置される液晶パネルなど）とされてもよい。
また、本実施形態の制御量Ｇの設定方法（図３の手順）が実行されるモードと、従来の制御量Ｇの設定方法（例えば図３においてＳ４，Ｓ５，Ｓ８，Ｓ９，Ｓ１０を省略した手順）が実行されるモードとが、専用の釦（例えば、図１（ｂ）に符号１５’で示す釦）の操作によって切り換え可能なように電子カメラが構成されていてもよい。
【００４６】
また、本実施形態では、スチル画像Ｉに施すべきホワイトバランス制御の制御量Ｇの設定について述べたが、スルー画像表示用の画像Ｉｔに施すべきホワイトバランス制御の制御量がそれと同様に設定されるよう、電子カメラを構成してもよい。
なお、本実施形態では、コンパクト電子カメラについて説明したが、本発明は一眼レフレックス電子カメラにも適用可能である。一眼レフレックス電子カメラに適用する場合、自動設定は、画像（スルー画像表示用の画像）Ｉｔの代わりに、カラー測光センサ（撮像素子１２とは別に設けられる）からの出力信号に基づいて行われる。
【００４７】
また、本実施形態のホワイトバランス制御回路１７は、３つの判定の組み合わせ（肌色検出による照明色判定（図４処理１７ａ）、平均色による照明色判定（図４処理１７ｂ）、照明種別の判定（図４処理１７ｃ）の組み合わせ）によって制御量Ｇを自動設定したが、別の組み合わせ、又は、２通りの判定方法、１通りの判定方法などによって制御量Ｇを自動設定してもよい。
【００４８】
また、本実施形態の電子カメラは、記録装置に格納される情報が、ホワイトバランス制御後の画像となっているが、そのホワイトバランス制御前の画像（ＲＡＷデータ）に制御量Ｇの情報を添付した情報としてもよい（ＲＡＷ記録）。
また、本実施形態の電子カメラは、画像やその他の情報を記録装置に格納しているが、記録装置に格納する代わりに、外部のコンピュータや別の電子カメラなどに転送してもよい。
【００４９】
【発明の効果】
以上説明したとおり本発明によれば、ホワイトバランス制御の成功率を最小のユーザ操作で確実に向上させるのに適した撮像装置が実現する。
【図面の簡単な説明】
【図１】図１（ａ）は電子カメラを正面から見た図、図１（ｂ）は電子カメラを背面から見た図である。
【図２】本実施形態の電子カメラの概略構成を示す図である。
【図３】ホワイトバランス制御回路１７の動作フローチャートである。
【図４】ホワイトバランス制御回路１７における各処理の概念図である。
【図５】肌色検出による照明色判定を説明する図である。
【図６】照明種別の判定を説明する図である。
【図７】照明種別判定で判定された照明種別Ｅ、肌色検出による照明色判定（図４処理１７ａ）で判定された照明色ＣＡ、平均色による照明色判定（図４処理１７ｂ）で判定された照明色ＣＢを可視化した図である。
【図８】重み係数の更新方法を示す図である。
【図９】重み係数の更新方法を示す図である。
【符号の説明】
１０  ＣＰＵ
１１  レリーズ釦
１２  撮像素子
１３  表示装置
１４  画像処理装置
１５  設定ダイヤル
１７  ホワイトバランス制御回路
１７ａ  肌色検出による照明色判定の処理
１７ｂ  平均色による照明色判定の処理
１７ｃ  照明種別の判定の処理
１７ｄ  照明種別の表示処理
１７ｅ  ホワイトバランス制御の処理
【図１】
2005072694.tif 000003
【図２】
2005072694.tif 000004
【図３】
2005072694.tif 000005
【図４】
2005072694.tif 000006
【図５】
2005072694.tif 000007
【図６】
2005072694.tif 000008
【図７】
2005072694.tif 000009
【図８】
2005072694.tif 000010
【図９】
2005072694.tif 000011